(57)【要約】【課題】受信能力を増強するために、傾斜した内蔵式アンテナを備える無線送信装置を提供する。【解決手段】本発明は、第一回路基板、第二回路基板、及び、第三回路基板を含む無線送信装置を提供する。第一回路基板は、少なくとも、１つ以上の電子素子を配置する。第二回路基板はアンテナを有し、アンテナは第一回路基板に電気的に接続される。受信能力を増強するために、第二回路基板は、第一回路基板に対して所定角度で配置される。第三回路基板は第一回路基板に接続され、第一回路基板に電気的に接続されたＵＳＢコネクタを配置するので、装置の携帯の変更を容易に行い得る。【選択図】図2
2006340367.tif 000002
【特許請求の範囲】
【請求項１】
コネクタと、１つ以上の電子素子とを少なくとも配置する第一回路基板と、
該第一回路基板に対し所定角度で配置されるアンテナを有する第二回路基板とを含み、
前記アンテナは、前記第二回路基板上に形成され、且つ、前記第一回路基板に電気的に接続される、
無線送信装置。
【請求項２】
前記コネクタは、ＵＳＢコネクタ、ＰＳ２コネクタ、又は、ＩＲコネクタである、請求項１に記載の無線送信装置。
【請求項３】
前記所定角度は、０度よりも大きく、０度と９０度との間である、請求項１に記載の無線送信装置。
【請求項４】
前記アンテナは、前記第二回路基板の銅箔をエッチング処理することによって加工される、請求項１に記載の無線送信装置。
【請求項５】
前記電子素子は、無線受信モジュール及び／又はミクロ制御チップを含む、請求項１に記載の無線送信装置。
【請求項６】
前記第二回路基板の前記アンテナは、ケーブルによって前記第一回路基板に電気的に接続され、前記ケーブルの２つの両端部は、それぞれ前記第一回路基板及び前記第二回路基板上にはんだ付けされる、請求項１に記載の無線送信装置。
【請求項７】
前記第一回路基板及び前記第二回路基板を収容する筐体をさらに含み、前記コネクタの一部は露出している、請求項１に記載の無線送信装置。
【請求項８】
前記コネクタは、前記第一回路基板上にはんだ付けされる、請求項１に記載の無線送信装置。
【請求項９】
当該無線送信装置は、無線マウス用の無線受信器、無線キーボード用の無線受信器、無線キーボード及びマウスセット用の無線受信器、無線受信器、無線送信機、又は、無線送受信機である、請求項１に記載の無線送信装置。
【請求項１０】
コネクタと、
アンテナと、
１つ以上の電子素子を配置し、且つ、前記コネクタ又は前記アンテナを配置する第一回路基板と、
該第一回路基板に接続され、且つ、前記コネクタ又は前記アンテナを配置する第二回路基板とを含み、
前記コネクタ又は前記アンテナは、前記第一回路基板に電気的に接続され、
前記第一回路基板が前記コネクタを配置するとき、前記第二回路基板は前記アンテナを配置し、前記第一回路基板が前記アンテナを配置するとき、前記第二回路基板は前記コネクタを配置する、
無線送信装置。
【請求項１１】
前記コネクタは、ＵＳＢコネクタ、ＰＳ２コネクタ、又は、ＩＲコネクタである、請求項１０に記載の無線送信装置。
【請求項１２】
前記アンテナは、前記第一回路基板又は前記第二回路基板の銅箔をエッチング処理することによって加工される、請求項１０に記載の無線送信装置。
【請求項１３】
前記電子素子は、無線受信モジュール及び／又はミクロ制御チップを含む、請求項１０に記載の無線送信装置。
【請求項１４】
前記第二回路基板は、前記第一回路基板上にはんだ付けされる、請求項１０に記載の無線送信装置。
【請求項１５】
前記第二回路基板上の前記コネクタ又は前記アンテナは、ケーブルによって前記第一回路基板に電気的に接続され、前記ケーブルの２つの両端部は、それぞれ前記第一回路基板及び前記第二回路基板上にはんだ付けされる、請求項１０に記載の無線送信装置。
【請求項１６】
前記第一回路基板、前記第二回路基板、及び、前記電子素子を収容する筐体をさらに含み、前記コネクタの一部は露出している、請求項１０に記載の無線送信装置。
【請求項１７】
前記コネクタは、前記第二回路基板上にはんだ付けされる、請求項１０に記載の無線送信装置。
【請求項１８】
当該無線送信装置は、無線マウス用の無線受信器、無線キーボード用の無線受信器、無線キーボード及びマウスセット用の無線受信器、無線受信器、無線送信機、又は、無線送受信機である、請求項１０に記載の無線送信装置。
【請求項１９】
１つ以上の電子素子を少なくとも配置する第一回路基板と、
該第一回路基板に対して所定角度で配置される第二回路基板と、
前記第一回路基板に接続され、且つ、前記第一回路基板に電気的に接続された１つのコネクタを少なくとも有する第三コネクタとを含み、
前記第二回路基板は、その上に形成された１つのアンテナを少なくとも有し、該アンテナは、前記第一回路基板に電気的に接続される、
無線送信装置。
【請求項２０】
前記コネクタは、ＵＳＢコネクタ、ＰＳ２コネクタ、又は、ＩＲコネクタである、請求項１９に記載の無線送信装置。
【請求項２１】
前記所定角度は、０度よりも大きく、０度と９０度との間である、請求項１９に記載の無線送信装置。
【請求項２２】
前記アンテナは、前記第二回路基板の銅箔をエッチング処理することによって加工される、請求項１９に記載の無線送信装置。
【請求項２３】
前記電子素子は、無線受信モジュール及び／又はミクロ制御チップを含む、請求項１９に記載の無線送信装置。
【請求項２４】
前記第二回路基板上の前記アンテナは、ケーブルによって前記第一回路基板に電気的に接続され、前記ケーブルの２つの両端部は、それぞれ前記第一回路基板及び前記第二回路基板上にはんだ付けされる、請求項１９に記載の無線送信装置。
【請求項２５】
前記第二回路基板は、前記第一回路基板上に直接的にはんだ付けされる、請求項１９に記載の無線送信装置。
【請求項２６】
前記第一回路基板、前記第二回路基板、及び、前記第三回路基板を収容する筐体（２０９）をさらに含み、前記コネクタの一部は露出している、請求項１９に記載の無線送信装置。
【請求項２７】
前記コネクタは、前記第三回路基板上にはんだ付けされる、請求項１９に記載の無線送信装置。
【請求項２８】
当該無線送信装置は、無線マウス用の無線受信器、無線キーボード用の無線受信器、無線キーボード及びマウスセット用の無線受信器、無線受信器、無線送信機、又は、無線送受信機である、請求項１９に記載の無線送信装置。
【請求項２９】
相互に所定角度で配置される第一領域及び第二領域を備える第一回路基板と、
該第一回路基板に電気的に接続されるコネクタとを含み、
前記第一領域は１つ以上の電子素子を少なくとも配置し、前記第二領域はアンテナを配置する、
無線送信装置。
【請求項３０】
前記第一回路基板に接続され、且つ、前記コネクタを配置する第二回路基板をさらに含む、請求項２９に記載の無線送信装置。
【請求項３１】
前記第一回路基板は、可撓な回路基板である、請求項２９に記載の無線送信装置。
【請求項３２】
前記コネクタは、ＵＳＢコネクタ、ＰＳ２コネクタ、又は、ＩＲコネクタである、請求項２９に記載の無線送信装置。
【請求項３３】
前記コネクタは、前記第一回路基板に接続された、請求項２９に記載の無線送信装置。
【請求項３４】
前記所定角度は、０度よりも大きく、０度と９０度との間である、請求項２９に記載の無線送信装置。
【請求項３５】
前記アンテナは、前記第一回路基板の銅箔をエッチング処理することによって加工される、請求項２９に記載の無線送信装置。
【請求項３６】
前記電子素子は、無線受信モジュール及び／又はミクロ制御チップを含む、請求項２９に記載の無線送信装置。
【請求項３７】
前記第二回路基板は、前記第一回路基板上にはんだ付けされる、請求項３０に記載の無線送信装置。
【請求項３８】
前記コネクタは、前記第二回路基板上にはんだ付けされる、請求項３０に記載の無線送信装置。
【請求項３９】
前記第一回路基板、前記第二回路基板、及び、前記電子素子を収容する筐体をさらに含み、前記コネクタの一部は露出している、請求項３０に記載の無線送信装置。
【請求項４０】
当該無線送信装置は、無線マウス用の無線受信器、無線キーボード用の無線受信器、無線キーボード及びマウスセット用の無線受信器、無線受信器、無線送信機、又は、無線送受信機である、請求項２９に記載の無線送信装置。
【発明の詳細な説明】
【技術分野】
【０００１】
本発明は無線送信装置に関し、より詳細には、受信能力を増強するために、傾斜した内蔵式アンテナを備えた無線送信装置に関する。その上、装置の形態の変化を容易に行い得るよう、無線送信装置をＵＳＢコネクタに直接的に接続し得る。
【背景技術】
【０００２】
図１を参照すると、従来的な無線送信装置１０内のＵＳＢコネクタ１０５及びアンテナ１０４が、プリント回路基板１０１上に設けられ、コントローラ、無線送受信モジュール等のような他の種類の複数の電子素子１０２も、同一のプリント回路基板１０１上に設けられている。無線送信装置１０のアンテナ１０４は、プリント回路基板１０１の表面上に覆われた銅箔を直接的にエッチング処理することによって加工される。ＵＳＢコネクタ１０５は、プリント回路基板１０１上に直接的にはんだ付けされる。全ての電子素子１０２及びプリント回路基板１０１は、筐体１０９外部に露出されるＵＳＢコネクタ１０５の一部を除き、筐体１０９内部に収容される。電子素子１０２及びアンテナ１０４をその同一水平面上に固着するプリント回路基板１０１がモノリシック構造を採用することの故に、並びに、ＵＳＢコネクタ１０５もプリント回路基板１０１上に固着されることの故に、従来的な無線送信装置１０の形態は、単にバー構造又は平面構造を提示し、外観の変化を殆ど示さない。
【０００３】
「内蔵式端子ハブを備える無線通信機器」と題する米国特許出願公開第２００２／００９４７７９号は、全ての電子素子及びアンテナが同一の水平面上にあり、前記無線送信装置１０の構造に属する。よって、前記米国特許出願公報第２００２／００９４７７９号の受信能力は限定的であり得るし、前記特許出願公報中の無線送信装置の外観の形態も限定的であり得る。
【０００４】
従来的な無線送信装置の欠点に鑑み、本発明の発明者は、受信能力を増強する傾斜した内蔵式アンテナを備え、且つ、容易に変更し得る外観の形態を備える無線送信装置を創成するような改良を熟考した。
【発明の開示】
【発明が解決しようとする課題】
【０００５】
本発明の主たる目的は、受信能力を増強するために、傾斜した内蔵式アンテナを備える無線送信装置を提供することである。無線送信装置は、ＵＳＢ接続性を備えたコンピュータ又は他の電子機器と接続するために、無線送信装置の外観の形態を容易に変更し得るよう、別個の回路板上にＵＳＢコネクタを配置する。
【課題を解決するための手段】
【０００６】
前記目的を達成するために、本発明の１つの特徴は、第一回路基板及び第二回路基板を含む無線送信装置を提供する。第一回路基板は、コネクタと、１つ以上の電子素子とを少なくとも設ける。第二回路基板は、第一回路基板に対して所定角度で配置され、第二回路基板上に形成された１つのアンテナを少なくとも有する。アンテナは第一回路基板と電気的に接続される。
【０００７】
本発明の他の特徴は、コネクタと、アンテナと、１つ以上の電子素子を配置し、且つ、コネクタ又はアンテナを配置する第一回路基板と、第一回路基板に接続され、且つ、コネクタ又はアンテナを配置する第二回路基板とを含み、コネクタ又はアンテナは、第一回路基板に電気的に接続され、第一回路基板がコネクタを配置するとき、第二回路基板はアンテナを配置し、第一回路基板がアンテナを配置するとき、第二回路基板はコネクタを配置する無線送信装置を提供する。
【０００８】
本発明の他の特徴は、第一回路基板と、第二回路基板と、第三回路基板とを含む無線送信装置を提供する。第一回路基板は、１つ以上の電子素子を少なくとも設ける。第二回路基板は、第一回路基板に対して所定角度で配置される。第二回路基板は、その上に形成された１つのアンテナを少なくとも有し、アンテナは第一回路基板と電気的に接続される。第三回路基板は、少なくともコネクタを設ける。
【０００９】
本発明のさらに他の特徴は、第一回路基板を含む無線送信装置を提供する。第一回路基板は、相互に所定角度で配置された第一領域及び第二領域を有する。第一領域は、１つ以上の電子素子を少なくとも設ける。第二領域は、１つのアンテナを少なくとも有する。
【００１０】
本発明の目的、特徴、効果を当業者に理解させるために、以下の実施態様及び添付の図面を参照することによって、本発明を以下に詳細に説明する。
【発明を実施するための最良の形態】
【００１１】
図２は、本発明に従った第一実施態様を概略的に示す上面図であり、図３は、本発明に従った第一実施態様を概略的に示す側面図である。本発明に従った第一実施態様は、傾斜した内蔵式アンテナを備える無線送信装置２０であり、第一回路基板２０１と、第二回路基板２０３と、１つ以上の電子素子２０２と、コネクタ２０５と、アンテナ２０４とを含む。第二回路基板２０３は第一回路基板２０１と接続され、第二回路基板２０３は所定角度で第一回路基板２０１に接続されている。電子素子２０２及びコネクタ２０５は、第一回路基板２０１上に設けられ、電子素子２０２は、例えば、抵抗器、キャパシタ、ミクロ制御チップ、無線受信モジュール等から成る。アンテナ２０４は、第二回路基板２０３上に設けられる。第二回路基板２０３上の銅箔を直接的にエッチング処理することによってアンテナ２０４を実現し得る。コネクタ２０５は、例えば、ＵＳＢコネクタであり得るし、例えば、ＰＳ２コネクタ、ＩＲコネクタ、又は、他のインターフェースのためのコネクタでもあり得る。
【００１２】
第二回路基板２０３と第一回路基板２０１との接続のために採用される手段は、銅芯導線のような電線（ケーブル）２１１を使用し得る。銅芯導線２１１の２つの両端部は、それぞれ第二回路基板２０３及び第一回路基板２０１にはんだ付けされる。電子素子２０２は、銅芯導線２１１の導電性によって、アンテナ２０４と電気的に接続される。一方、第二回路基板２０３が所定角度で第一回路基板２０１に接続されるよう、銅芯導線２１１は屈曲される。
【００１３】
アンテナ２０４が位置する第二回路基板２０３の平面は、第一回路基板２０１の平面と異なり、図３を参照すれば、それは第一回路基板２０１に対して角度θにあるアンテナ２０４の平面をもたらす。２つの平面が同一レベルに配置される従来的な方法である、図１におけるアンテナ１０４の平面及び電子素子１０２が構成されるプリント回路基板１０１の平面と比較すると、本発明が受信効果を増強するのを促進するよう、本発明のアンテナ２０４は角度θで傾斜される方法を採用する。
【００１４】
本発明に従った傾斜した内蔵式アンテナを備える無線送信装置２０の構造を、無線マウス用の無線受信器として実施し得る。傾斜した内蔵式アンテナ２０４は、２０度の角度θに配置され、受信能力に関する試験を行うために木製テーブル上に配置された。無線マウスは操作されて信号を発信し、その場合には、無線受信器２０の受信能力は、８０ｃｍの半径を備える範囲内にあった。比較すると、もし傾斜した内蔵式アンテナ２０４が０度の角度θに他の方法で配置されるならば、無線受信器２０の受信能力は、７０ｃｍのみの半径を備える範囲内にあった。その上、傾斜された内蔵式アンテナ２０４は２０度の角度θに配置され、受信能力に関する試験を行うために、金属製テーブル上に配置された。無線マウスが操作されて信号を発信し、その場合には、無線受信器２０の受信能力は、６５ｃｍの半径を備える範囲内にあった。比較すると、もし傾斜した内蔵式アンテナ２０４が０度の角度θに他の方法で配置されるならば、無線受信器２０の受信能力は、２５ｃｍだけの半径を備える範囲内にあった。金属製テーブルは、電波を受信するときに多少の干渉を招くが、本発明は、干渉問題を克服し得る。従って、本発明が受信効果を増強するのを促進するよう、本発明に従ったアンテナ２０４は０度よりも大きい角度に配置される。
【００１５】
図４は、本発明に従った無線送信装置の第二実施態様の等角図を示している。本発明に従った無線送信装置の第二実施態様は、傾斜した内蔵式アンテナを備える無線送信装置２０であり、第一回路基板２０１及び第二回路基板２０３を収容し且つ受容するための筐体２０９をさらに含み得る。ＵＳＢコネクタがコネクタ２０５であるよう採用されるとき、ＵＳＢコネクタ２０５の一部を筐体２０９の外部に露出し得る。
【００１６】
電子素子２０２及びコネクタ２０５を第一回路基板２０１上にはんだ付けし得る。電子素子の種類は、無線送信装置２０の具現化される実施態様で異なり得る。無線送信装置２０の具現化される実施態様は、無線マウス用の無線受信器、無線キーボード用の無線受信器、無線キーボード及びマウスセット用の無線受信器、無線送信機、無線送信機、無線受信器、又は、無線送受信機であり得る。
【００１７】
前記銅芯導線２１１は、第二回路基板２０３と第一回路基板２０１との間の接続手段であるよう採用され、それは本発明を開示し且つ本発明を容易に理解させるものである。本発明はこの種類の接続手段に制限されず、如何なる変形も類似手段の範囲内にある。
【００１８】
本発明によれば、アンテナは第二回路基板上に構成され、受信効果を増強するのを促進するために、第二回路基板はある角度で第一回路基板に接続されている。
【００１９】
図５は、本発明に従った無線送信装置の第三実施態様の等角図を示している。本発明に従った無線送信装置の第三実施態様は、ＵＳＢコネクタと直接的に接続し得る無線送信装置２０であり、少なくとも、第一回路基板２０１と、第二回路基板２０３と、コネクタ２０５と、アンテナ２０４とを含む。第二回路基板２０３は、第一回路基板２０１と接続される。本発明において採用される接続手段は、例えば、第二回路基板２０３を第一回路基板２０１上に直接的にはんだ付けするはんだ付け手段である。本実施態様におけるコネクタ２０５は、例えば、ＵＳＢコネクタであり得る。ＵＳＢコネクタ２０５は、第二回路基板２０３上に直接的にはんだ付けされている。アンテナ２０４は、第一回路基板２０１上に直接的に形成されている。
【００２０】
図６は、本発明に従った無線送信装置の第四実施態様の等角図を示している。本発明に従った無線送信装置の第四実施態様は、ＵＳＢコネクタと直接的に接続し得る無線送信装置２０であり、少なくとも、第一回路基板２０１と、第二回路基板２０３と、コネクタ２０５と、アンテナ２０４とを含む。第二回路基板２０３は、第一回路基板２０１と接続される。本発明において採用される接続手段は、例えば、第二回路基板２０３を第一回路基板２０１上に直接的にはんだ付けするはんだ付け手段である。アンテナ２０４は、第二回路基板２０３上に直接的に形成され、ＵＳＢコネクタ２０５は第一回路基板２０１上に直接的にはんだ付けされている。
【００２１】
図７は、本発明に従った無線送信装置の第五実施態様の等角図を示している。本発明に従った無線送信装置の第五実施態様は、ＵＳＢコネクタと直接的に接続し得る無線送信装置２０であり、少なくとも、第一回路基板２０１と、第二回路基板２０３と、コネクタ２０５と、アンテナ２０４とを含む。第二回路基板２０３は、第一回路基板２０１と別個に配置され、第二回路基板２０３は、電線２１１を用いることによって、第一回路基板２０１に電気的に接続されている。アンテナ２０４は、第二回路基板２０３上に直接的に形成され、ＵＳＢコネクタ２０５は、第一回路基板２０１上に直接的にはんだ付けされている。
【００２２】
図８は、本発明に従った無線送信装置の第六実施態様の等角図を示している。本発明に従った無線送信装置の第六実施態様は、傾斜した内蔵式アンテナを備え、且つ、ＵＳＢコネクタによる直接的な接続性を備える無線送信装置２０であり、少なくとも、第一回路基板２０１と、第二回路基板２０３と、第三回路基板２０７と、コネクタ２０５と、アンテナ２０４とを含む。第二回路基板２０３は、第一回路基板２０１と接続され、第二回路基板２０３は、所定角度で第一回路基板２０１に接続されている。第三回路基板２０７は、第一回路基板２０１と接続されている。本発明において採用される接続手段は、例えば、第三回路基板２０７を第一回路基板２０１上に直接的にはんだ付けするためのはんだ付け手段である。本実施態様において、コネクタ２０５は、例えば、ＵＳＢコネクタであり得る。ＵＳＢコネクタ２０５は、第三回路基板２０７上に直接的にはんだ付けされている。アンテナ２０４は、第一回路基板２０１上に直接的に形成されている。
【００２３】
図９は、本発明に従った無線送信装置の第七実施態様の等角図を示している。本発明に従った無線送信装置の第七実施態様は、傾斜した内蔵式アンテナを備え、且つ、ＵＳＢコネクタによる直接的な接続性を備える無線送信装置２０であり、少なくとも、第一回路基板２０１と、コネクタ２０５と、アンテナ２０４とを含む。第一回路基板２０１は、可撓な回路基板であって、一方の部分は水平面であり、他方の部分は水平面の部分に対して所定角度にある傾斜平面であり得る。本実施態様におけるコネクタ２０５は、例えば、ＵＳＢコネクタであり得る。ＵＳＢコネクタ２０５は、第一回路基板２０１上に構成されている。アンテナ２０４は、第一回路基板２０１の傾斜面の部分の上に形成されている。
【００２４】
図１０は、本発明に従った無線送信装置の第八実施態様の等角図を示している。本発明に従った無線送信装置の第八実施態様は、傾斜した内蔵式アンテナを備え、且つ、ＵＳＢコネクタによる直接的な接続性を備える無線送信装置２０であり、少なくとも、第一回路基板２０１と、第二回路基板２０３と、コネクタ２０５と、アンテナ２０４とを含む。第一回路基板２０１は、可撓な回路基板であって、一方の部分は水平面であり、他方の部分は水平面の部分に対して所定角度にある傾斜平面であり得る。第二回路基板２０３は、第一回路基板２０１の水平面の部分と接続されている。本発明において採用される接続手段は、例えば、第二回路基板２０３を第一回路基板２０１の水平面の部分の上に直接的にはんだ付けするためのはんだ付け手段である。本発明におけるコネクタ２０５は、例えば、ＵＳＢコネクタであり得る。ＵＳＢコネクタ２０５は、第二回路基板２０３上に直接的にはんだ付けされ得る。アンテナ２０４は、第一回路基板２０１の傾斜面の部分の上に直接的に形成されている。
【００２５】
加えて、本発明の第三乃至第八実施態様において、ＵＳＢコネクタと直接的に接続し得る無線送信装置２０は、第一回路基板２０１、第二回路基板２０３、第三回路基板、及び、コネクタ２０５を収容し且つ受容するための筐体２０９をさらに含む。ＵＳＢコネクタがコネクタ２０５であるよう採用されるとき、ＵＳＢコネクタの部分を筐体２０９の外側に露出し得る。
【００２６】
加えて、第三乃至第八実施態様において、幾つかの電子素子２０２を配置するために、第一回路基板２０１を使用し得る。電子素子２０２は、例えば、抵抗器、キャパシタ、ミクロ制御チップ、無線受信モジュール等から成る。第一回路基板２０１上にはんだ付けされる電子素子の種類は、無線送信装置２０の具現化される実施態様で異なり得る。無線送信装置２０の具現化される実施態様は、無線マウス用の無線受信器、無線キーボード用の無線受信器、無線キーボード及びマウスセット用の無線受信器、無線送信機、無線受信器、又は、無線送受信機であり得る。
【００２７】
本発明によれば、図５、６、及び、１０中に示されるような第二回路基板２０３及び第一回路基板２０１の平行接続手段と、図８に示されるような第三回路基板２０７及び第一回路基板２０１の平行接続手段とは、本発明を開示し且つ本発明を容易に理解させるものである。本発明は、図面に示されるような平行型の接続手段に制限されない。例えば、第二回路基板２０３又は第三回路基板２０７を、水平方向又は垂直方向のいずれかに形成された所定角度で第一回路基板２０１に接続し得る。変形は均等手段の範囲内である。
【００２８】
本発明によれば、第一回路基板２０１と接続される、コネクタ２０５が配置される第二回路基板２０３又は第三回路基板２０７を作成することは、従来的な無線送信装置１０で用いられる手段と完全に異なる。筐体２０９の外観の形態の変化を用いて、本発明は、筐体２０９の明確な統合性を満足するために、ＵＳＢコネクタのようなコネクタ２０５を筐体２０９の適切な位置に容易に配置し得る。これは本発明の改良された効果及び利点の１つである。
【００２９】
本発明は実施態様を通じて上記のように開示されたが、開示された実施態様は本発明を制限しない。如何なる当業者も、本発明の精神及び範囲から逸脱せずに、多様な変更及び修正を行い得る。行われる変更及び修正は、本発明の範囲内にある。本発明の保護範囲は、特許請求の範囲によって決定される。
【図面の簡単な説明】
【００３０】
【図１】直接結合ＵＳＢコネクタを備える従来的な無線送信装置を概略的に示す等角図である。
【図２】本発明に従った第一実施態様を概略的に示す上面図である。
【図３】本発明に従った第一実施態様を概略的に示す側面図である。
【図４】本発明に従った第二実施態様を概略的に示す等角図である。
【図５】本発明に従った第三実施態様を概略的に示す等角図である。
【図６】本発明に従った第四実施態様を概略的に示す等角図である。
【図７】本発明に従った第五実施態様を概略的に示す等角図である。
【図８】本発明に従った第六実施態様を概略的に示す等角図である。
【図９】本発明に従った第七実施態様を概略的に示す等角図である。
【図１０】本発明に従った第八実施態様を概略的に示す等角図である。
【符号の説明】
【００３１】
１０    無線送信装置
２０    無線送信装置
１０１  プリント回路基板
１０２  電子素子
１０４  アンテナ
１０５  ＵＳＢコネクタ
１０９  筐体
２０１  第一回路基板
２０２  電子素子
２０３  第二回路基板
２０４  アンテナ
２０５  コンテナ
２０７  第三回路基板
２０９  筐体
２１１  電線
【図１】
2006340367.tif 000003
【図２】
2006340367.tif 000004
【図３】
2006340367.tif 000005
【図４】
2006340367.tif 000006
【図５】
2006340367.tif 000007
【図６】
2006340367.tif 000008
【図７】
2006340367.tif 000009
【図８】
2006340367.tif 000010
【図９】
2006340367.tif 000011
【図１０】
2006340367.tif 000012
【外国語明細書】
2006340367.tif 000013
2006340367.tif 000014
2006340367.tif 000015
2006340367.tif 000016
2006340367.tif 000017
2006340367.tif 000018
2006340367.tif 000019
2006340367.tif 000020
2006340367.tif 000021
2006340367.tif 000022
2006340367.tif 000023
2006340367.tif 000024
2006340367.tif 000025
2006340367.tif 000026
2006340367.tif 000027
2006340367.tif 000028
2006340367.tif 000029
2006340367.tif 000030
2006340367.tif 000031
2006340367.tif 000032
2006340367.tif 000033
2006340367.tif 000034
【図１】
2006340367.tif 000035
【図２】
2006340367.tif 000036
【図３】
2006340367.tif 000037
【図４】
2006340367.tif 000038
【図５】
2006340367.tif 000039
【図６】
2006340367.tif 000040
【図７】
2006340367.tif 000041
【図８】
2006340367.tif 000042
【図９】
2006340367.tif 000043
【図１０】
2006340367.tif 000044